(57)【特許請求の範囲】
【請求項１】
第１の枢支部を介して一端側が近接離間するように回動可能に連結された第１及び第２のヘッドバンド部材と、
上記第１の枢支部の回動中心軸に略直交する方向の回動中心軸を有する第２及び第３の枢支部を介して上記第１及び第２のヘッドバンド部材の一端側に回動可能に連結された第１及び第２の電気音響変換器支持アームと、
ハウジングに電気音響変換素子を収納し放音面側を相対向させて上記第１及び第２の電気音響変換器支持アームの一端部側にそれぞれ支持された第１及び第２の電気音響変換器とを備え、
上記第１及び第２の電気音響変換器支持アームを上記第２及び第３の枢支部を中心に上記第１及び第２のヘッドバンド部材側に折り畳み、上記第１及び第２のヘッドバンド部材を上記第１の枢支部を中心に一端部側を近接させる方向に折り畳んだとき、上記第１及び第２の電気音響変換器が、上記第１及び第２の電気音響変換器支持アームと上記第１及び第２のヘッドバンド部材とによって囲まれた領域内に収納されてなるヘッドホン装置。
【請求項２】
上記第１及び第２の電気音響変換器は、上記放音面とは反対側の背面側が上記第１及び第２の電気音響変換器支持アームによって支持されている請求項１記載のヘッドホン装置。
【請求項３】
上記第１及び第２の電気音響変換器支持アームは、上記第１及び第２の電気音響変換器の外周側を囲む湾曲部と、この湾曲部の一端部側から延長されて上記第１及び第２の電気音響変換器の上記放音面とは反対側の背面側を支持する支持部とを備えてなる請求項１記載のヘッドホン装置。
【請求項４】
上記支持部は、少なくとも外周面が弾性を有してなる請求項３記載のヘッドホン装置。
【請求項５】
上記第１及び第２の電気音響変換器支持アームには、頭部に装着したとき上記頭部と耳介との間に係止される弾性体により形成された耳掛け部が設けられている請求項１記載のヘッドホン装置。
【発明の詳細な説明】
【０００１】
【発明の属する技術分野】
本発明は、頭部に装着されるヘッドバンドに電気音響変換器支持アームを介して電気音響変換器を支持した頭部装着型のヘッドホン装置に関し、特に折り畳み可能としたヘッドホン装置に関する。
【０００２】
【従来の技術】
従来、頭部に装着されて用いられる頭部装着型のヘッドホン装置として、携帯時や収納時に小型化を可能とするため、左右一対の第１及び第２の電気音響変換器を第１及び第２の電気音響変換器支持アームを介して支持する第１及び第２のヘッドバンド部材を枢支部を介して回動可能に連結することにより折り畳み可能としたものが用いられている。
【０００３】
さらに、折り畳み可能としたヘッドホン装置として、第１及び第２のヘッドバンド部材を折り畳み可能に連結するとともに、第１及び第２のヘッドバンド部材に第１及び第２の電気音響変換器を支持した第１及び第２の電気音響変換器支持アームを枢支部を介して回動可能に連結することによって、第１及び第２の電気音響変換器支持アームを第１及び第２のヘッドバンド部材に対し折り畳み可能とし、一層の小型化を図ったものが提案されている。
【０００４】
【発明が解決しようとする課題】
従来用いられ、あるいは提案されている折り畳み可能とされたヘッドホン装置は、第１及び第２のヘッドバンド部材を折り畳み、さらに第１及び第２の電気音響変換器支持アームを折り畳んだとき、第１及び第２の電気音響変換器支持アームの一端側に支持された電気音響変換器の一部が最外周側に突出するため、携帯時に衝撃を直接受けてしまう。電気音響変換器が直接衝撃を受けると、ハウジングに収納した振動板等の振動系を備えた電気音響変換素子が損傷されるおそれがある。
【０００５】
また、電気音響変換器のハウジングは、直接耳介に接触する部分であり、ハウジングが衝撃を受け変形等させられてしまうと良好な装着感を得ることができなくなってしまう。
【０００６】
そこで、本発明の目的は、折り畳み可能なヘッドホン装置において、折り畳み時に電気音響変換器支持アームに支持された電気音響変換器の確実な保護を図ることを目的に提案されたものである。
【０００７】
本発明の他の目的は、容易に携帯して持ち運ぶことができる折り畳み式のヘッドホン装置を提供することにある。
【０００８】
本発明のさらに他の目的は、良好な装着感を持って頭部に装着することができるヘッドホン装置を提供することにある。
【０００９】
【課題を解決するための手段】
上記したような目的を達成するため、本発明に係るヘッドホン装置は、第１の枢支部を介して一端側が近接離間するように回動可能に連結された第１及び第２のヘッドバンド部材と、第１の枢支部の回動中心軸に略直交する方向の回動中心軸を有する第２及び第３の枢支部を介して第１及び第２のヘッドバンド部材の一端側に回動可能に連結された第１及び第２の電気音響変換器支持アームと、ハウジングに電気音響変換素子を収納し放音面側を相対向させて第１及び第２の電気音響変換器支持アームの一端部側にそれぞれ支持された第１及び第２の電気音響変換器とを備え、第１及び第２の電気音響変換器支持アームを第２及び第３の枢支部を中心に第１及び第２のヘッドバンド部材側に折り畳み、第１及び第２のヘッドバンド部材を第１の枢支部を中心に一端部側を近接させる方向に折り畳んだとき、第１及び第２の電気音響変換器が、第１及び第２の電気音響変換器支持アームと第１及び第２のヘッドバンド部材とによって囲まれた領域内に収納されるようにしたものである。
【００１０】
ここで、第１及び第２の電気音響変換器は、放音面とは反対側の背面側が第１及び第２の電気音響変換器支持アームによって支持される。
【００１１】
また、第１及び第２の電気音響変換器支持アームは、第１及び第２の電気音響変換器の外周側を囲む湾曲部と、この湾曲部の一端部側から延長されて第１及び第２の電気音響変換器の放音面とは反対側の背面側を支持する支持部とを備える。この支持部は、少なくとも外周面が弾性を有するように形成され、衝撃が電気音響変換器に直接伝達しないように衝撃吸収を行う機能を有する。
【００１２】
さらに、第１及び第２の電気音響変換器支持アームには、頭部に装着したとき頭部と耳介との間に係止される弾性体により形成された耳掛け部が設けらることにより装着時の装着感を良好にする。
【００１３】
【発明の実施の形態】
以下、本発明に係るヘッドホン装置の具体的な例を図面を参照して説明する。
【００１４】
本発明に係るヘッドホン装置１は、図１及び図２に示すように、互いに連結されて後頭部に沿って装着される略半円状に湾曲されたヘッドバンド２を構成する第１及び第２のヘッドバンド部材３，４を備える。これらヘッドバンド部材３，４は、頭部に安定した状態で良好な装着感をもって装着し得るように一定の幅を有し、略半円状に湾曲されたヘッドバンド２の一部を構成するように湾曲形成されている。第１及び第２のヘッドバンド部材３，４は、ポリプロピレン（ＰＰ）やポリブチレンテレフタレート（ＰＢＰ）等の合成樹脂若しくは耐食性を有する金属により形成される。
【００１５】
第１及び第２のヘッドバンド部材３，４は、第１及び第２の電気音響変換器支持アーム電気音響変換器支持部材５，６が連結される一端部側が近接離間するように他端部側を第１の枢支部７を介して回動可能に連結される。第１の枢支部７は、図３に示すように、第１及び第２のヘッドバンド部材３，４の他端部側に突設された互いに組み合わせられる複数の係合片８，９と、これら係合片８，９を連結する支軸１０とから構成されている。複数の係合片８，９は、第１及び第２のヘッドバンド部材３，４の湾曲した内周面側から突設され、一方の複数の係合片８間に他方の複数の係合片９が相対嵌合するように一定の間隔を隔て互いに平行に形成されている。各係合片８，９には、図４に示すように、互いに組み合わせられたとき、互いに連通する軸挿通孔１１，１２が穿設されている。第１及び第２のヘッドバンド部材３，４は、各係合片８，９を互いに組み合わせ、軸挿通孔１１，１２に支軸１０を挿通することにより連結され、この支軸１０を中心に一端部側が近接離間する図１及び図２中矢印Ａ1方向及びＡ2方向に回動可能に支持される。
【００１６】
第１のヘッドバンド部材３の他端部側の湾曲した外周側には、図５に示すように、第２のヘッドバンド部材４の他端部側の湾曲した外周側の端面４ａが当接する係止段部３ａが形成されている。第１及び第２のヘッドバンド部材３，４は、支軸１０を中心にして、図１及び図２中矢印Ａ2方向の一端部側が離間する開脚方向に回動されたとき、第２のヘッドバンド部材４の他端部側の端面４ａが第１のヘッドバンド部材３の係止段部３ａに当接して係止されることにより、回動位置が規制され、一連に連続して湾曲された後頭部に装着可能なヘッドバンド２となる。
【００１７】
第１のヘッドバンド部材３に設けられる係合片８の周面に、図５に示すように係止突起１５が設けられ、第２のヘッドバンド部材４側に係合片８の周面を摺接する弾性片１６を設けることにより、第１及び第２のヘッドバンド部材３，４の間欠的な回動を行うことがき、図１及び図２に示すように、後頭部に装着可能な状態に開脚したときの回動位置を保持し、開脚した状態を確実に保持して安定した頭部への装着操作を行うことができる。
【００１８】
上述のように第１の枢支部７を介して回動可能に連結された第１及び第２のへバンド部材３，４の一端側には、それぞれ第１及び第２の電気音響変換器支持アーム５，６が回動可能に連結される。第１及び第２の電気音響変換器支持アーム５，６は、第１及び第２のヘッドバンド部材３，４と同様に、ポリプロピレン（ＰＰ）やポリブチレンテレフタレート（ＰＢＰ）等の合成樹脂若しくは耐食性を有する金属により形成される。
【００１９】
第１の電気音響変換器支持アーム５の一端側には、左チャンネル用の第１の電気音響変換器１７が支持され、第２の電気音響変換器支持アーム６の一端側には、右チャンネル用の第２の電気音響変換器１８が支持されている。
【００２０】
第１及び第２の電気音響変換器支持アーム５，６にそれぞれ支持される第１及び第２の電気音響変換器１７，１８は、図１及び図２に示すように、円形のハウジング１９内に電気音響変換素子２０を収納して構成されている。ハウジング１９の放音面側である耳介への当接面側には、耳介への装着感を良好になすため、発泡ウレタン等の柔軟性を有する材料からからなるイヤーパッド２１が着脱自在に取り付けられている。
【００２１】
第１及び第２の電気音響変換器１７，１８に用いられる電気音響変換素子２０は、電気信号としての音響信号を音響に変換するものであればいずれのものを用いてもよく、導電型のスピーカや静電型のスピーカ、さらには超音波発振器を用いたスピーカ等が用いられる。
【００２２】
また、電気音響変換素子２０を収納したハウジング１９は、後述するように、第１及び第２のへバンド部材３，４を一端側が近接するように第１の枢支部７を中心に図１中やＡ1方向に回動して折り畳んだとき、第１及び第２のへバンド部材３，４に囲まれた領域内に収納されるに足る大きさに形成されている。
【００２３】
第１及び第２の電気音響変換器１７，１８を支持する第１及び第２の電気音響変換器支持アーム５，６は、左右対称に形成されているので、第１の電気音響変換器支持アーム５を挙げて説明すると、第１の電気音響変換器支持アーム５は、中央部が、図６に示すように、この支持部材５の一端側に支持される円形をなす第１の電気音響変換器１７の外周側を囲むように湾曲された湾曲部２２を有し、この湾曲部２２の一端側に、湾曲部２２側に向かって折り曲げられた電気音響変換器支持部２３が設けられている。これら第１及び第２の電気音響変換器支持アーム５，６は、第１及び第２のへバンド部材３，４と同様に、ポリプロピレン（ＰＰ）やポリブチレンテレフタレート（ＰＢＰ）等の合成樹脂若しくは耐食性を有する金属により形成されている。
【００２４】
第１の電気音響変換器１７は、図６に示すように、湾曲部２２により外周側を囲まれるようにして、放音面側とは反対側の背面側の外周縁部に電気音響変換器支持部２３の先端部が固定されて第１の電気音響変換器支持アーム５に支持されている。電気音響変換器支持部２３は、図１に示すように、第１の電気音響変換器１７のハウジング１９の背面側に固定されたとき、湾曲部２２が第１の電気音響変換器１７の放音面側に位置するように折り曲げられている。すなわち、電気音響変換器支持部２３は、湾曲部２２に対し直交するように折り曲げられ、湾曲部２２への連接部側から先端側に向かってハウジング１９の湾曲した背面側に沿って湾曲するように形成されている。
【００２５】
電気音響変換器支持部２３は、ハウジング１９の背面側に延長されることにより、ハウジング１９に異物が直接衝突することを防止し、電気音響変換器１７，１８の保護を図るものであるので、衝撃吸収機能を有する合成樹脂等の弾性体により形成するようにしてもよい。この場合、電気音響変換器支持部２３は、比較的剛性の高いポリプロピレン（ＰＰ）やポリブチレンテレフタレート（ＰＢＰ）等の合成樹脂若しくは耐食性を有する金属により形成された湾曲部２２の先端側に衝撃吸収機能を有する合成樹脂等の弾性体を一体に連結若しくは一体に成形して形成される。
【００２６】
また、電気音響変換器支持部２３は、電気音響変換器１７，１８の支持を行うものであるので、比較的剛性の高いポリプロピレン（ＰＰ）やポリブチレンテレフタレート（ＰＢＰ）等の合成樹脂若しくは耐食性を有する金属により基部を形成し、その外周面に衝撃吸収機能を有する合成樹脂等の弾性体を接合し、あるいは一体に成形して形成するようにしてもよい。
【００２７】
そして、第１の電気音響変換器支持アーム５の湾曲部２２の内周側には、このヘッドホン装置１を後述するように頭部に装着したとき、頭部と耳介との間に係止される耳掛け部２４が設けられている。この耳掛け部２４は、第１の電気音響変換器１７の放音面側に臨むように、すなわち第１の電気音響変換器１７の放音面と対向するように湾曲部２２の内周側に一体的に設けられている。耳掛け部２４は、図６に示すように、柔軟性を有するシリコーンゴムなどの弾性体により形成され、耳介の外周側に沿うように湾曲して形成されている。また、耳掛け部２４には、一層の柔軟性を確保し、良好な装着感をもって頭部と耳介との間に係止され得るように、貫通穴２５が設けられている。
【００２８】
上述のように、一端側に第１及び第２の電気音響変換器１７，１８を支持した第１及び第２の電気音響変換器支持アーム５，６は、他端部側が第２及び第３の枢支部２６，２７を介して第１及び第２のヘッドバンド部材３，４の一端側に回動可能に支持される。
【００２９】
第２及び第３の枢支部２６，２７は、同一の構成を有するので、第２の枢支部２６を挙げて詳細を説明すると、第２の枢支部２６は、図７に示すように、第１のヘッドバンド部材３の一端側に形成した平板状に形成された回動支持部２８と、第１の電気音響変換器支持アーム５の他端部側に形成された回動支持部２８が嵌合する断面Ｕ字状をなす嵌合部２９とを有する。回動支持部２８は、第１のヘッドバンド支持部材３の一端部から平行に突設された一対の回動片２８ａ，２８ｂとこれら回動片２８ａ，２８ｂを連結する中心に支軸３０が挿通される軸挿通孔３１が穿設された軸挿通部３２とから構成され、全体で糸巻き用のボビンの如く形成されている。軸挿通部３２の周囲の一対の回動片２８ａ，２８ｂ間の空隙は、後述する接続コードの挿通部とされる。一方、嵌合部２９は、回動支持部２８が圧接するように嵌合するに足る幅を有するＵ字状に形成され、相対向する側壁２９ａ，２９ｂには、軸挿通孔３１に挿通される支軸３０が挿通される軸挿通孔３３及びネジ孔３４が穿設されている。
【００３０】
第１の電気音響変換器支持アーム５は、第１のヘッドバンド部材３に設けた回動支持部２８を、図８及び図９に示すように、軸挿通部３２に設けた軸挿通孔３１を嵌合部２９の軸挿通孔３３及びネジ孔３４に連通するようにこの嵌合部２９に嵌合し、嵌合部２９の軸挿通孔３３から挿通されるネジ状の支軸３０を軸挿通部３２に設けた軸挿通孔３１に挿通し、ネジ孔３４に螺合させることにより、支軸３０を中心にして、図１中矢印Ｂ1方向及び矢印Ｂ2方向に回動可能に第１のヘッドバンド部材５に連結される。
【００３１】
そして、第１のヘッドバンド部材３の他端部に突設した回動支持部２８の基端部側には、第１の電気音響変換器支持アーム５が第１のヘッドバンド部材５に連続するように回動されたとき、嵌合部２９の端面２９ｃが当接する係止段部３５が形成されている。第１の電気音響変換器支持アーム５は、支軸３０を中心にして図１中矢印Ｂ2方向に回動され、嵌合部２９の端面２９ｃが係止段部３５に当接するまで回動されることにより、図２に示すように、第１のヘッドバンド支持部材３に一連に連続した状態となり、図１中矢印Ｂ2方向へのさらなる回動が規制される。
【００３２】
また、嵌合部２９を構成する側壁２９ａ，２９ｂの開放端側の下端縁側には、相対向する内方側に向かって突出された係止突起３６，３６が突設されている。これら係止突起３６，３６は、第１の電気音響変換器支持アーム５が図２に示すように、第１のヘッドバンド支持部材３に一連に連続した状態になるまで支軸３０を中心に回動されたとき、図８及び図９に示すように、回動支持部２８を構成する回動片２８ａ，２８ｂの基端部側の下端縁に形成した係合凹部３７に相対係合することにより、第１の電気音響変換器支持アーム５の第１のヘッドバンド部材３に対する自由な回動が規制され、一連に連続した状態が保持される。
【００３３】
ところで、第１及び第２の電気音響変換器支持アーム５，６を第１及び第２のヘッドバンド部材３，４にそれぞれ回動可能に連結する第２及び第３の枢支部２６，２７は、図１及び図２に示すように、第１及び第２のヘッドバンド部材３，４を回動可能に連結する第１の枢支部７の回動中心軸Ｐ1に対し、回動中心軸Ｐ2がほぼ直交するように構成されている。すなわち、第２及び第３の枢支部２６，２７は、支軸３０が第１の枢支部７の支軸１０に対し直交するように設けられる。
【００３４】
このように、第２及び第３の枢支部２６，２７の回動中心軸Ｐ2を第１の枢支部７の回動中心軸Ｐ1に対し直交するように構成することにより、第１の枢支部７を中心に回動されて折り畳まれる第１及び第２のヘッドバンド部材３，４側に第１及び第２の電気音響変換器支持アーム５，６を折り畳むことができ、ヘッドホン装置１を極めて小型に折り畳むことができる。
【００３５】
ところで、本発明に係るヘッドホン装置１においては、第２の電気音響変換器１８から引き出される接続コード３８は、ハウジング１９に設けた図示しないコード挿通孔を介して第２の電気音響変換器１８の外方に引き出され、この電気音響変換器１８を支持する第２の電気音響変換器支持アーム６に設けたコード挿通溝３９に挿通される。この接続コード３８は、さらに、第３の枢支部２７を亘って第２のヘッドバンド支持部材４に設けたコード挿通溝４０に挿通され、第１の枢支部７を亘って第１のヘッドバンド部材３に設けたコード挿通溝４０に挿通し、さらに、第２の枢支部２６を亘って第１の電気音響変換器支持アーム５に設けたコード挿通溝３９に挿通される。第１の電気音響変換器支持アーム５に挿通された接続コード３８は、電気音響変換器支持部２３の先端部から引き出され、第１の電気音響変換器１７にハウジング１９に設けた図示しないコード挿通孔を介してこのハウジング１９内に挿通される。第１の電気音響変換器１７のハウジング１９内に挿通された接続コード３８は、このハウジング１９内で第１の電気音響変換器１７から引き出される外部接続コード４１に接続され、外部接続コード４１と一体となって第１の電気音響変換器１７から外方に引き出される。
【００３６】
なお、外部接続コード４１の端部には、ディスクプレーヤ等の音響機器に接続するための接続用プラグ４２が設けられている。
【００３７】
上述のように構成された本発明に係るヘッドホン装置１は、頭部に装着する場合には、第１及び第２の電気音響変換器支持アーム５，６を第２及び第３の枢支部２６，２７を中心にして図１中矢印Ｂ2方向に回動し、第１及び第２のヘッドバンド部材３，４に一連に連続させ、さらに、第１及び第２のヘッドバンド部材３，４を第１の枢支部７を中心にして図１中矢印Ａ2方向に回動して一連に連続させた状態となす。
【００３８】
図１及び図２に示すように、第１及び第２の電気音響変換器支持アーム５，６、と第１及び第２のヘッドバンド部材３，４が広げられたヘッドホン装置１は、図１０に示すように、ヘッドバンド２が後頭部側に位置するようにして頭部５１に装着され、第１及び第２の電気音響変換器１７，１８が左右の耳介５２上に位置される。第１及び第２の電気音響変換器支持アーム５，６の湾曲部２２の内周側に設けた耳掛け部２４が、図１１に示すように、頭部５１と耳介５２との間に係止される。この耳掛け部２４は、第１及び第２の電気音響変換器１７，１８の放音面に対向するように設けられているので、第１及び第２の電気音響変換器１７，１８と共同して耳介５２の一部を挟持するように支持し、一層安定した装着状態を実現する。
【００３９】
また、耳掛け部２４は、柔軟性を有するシリコーンゴムなどの弾性体により形成されているので、良好な装着感を得ることができる。
【００４０】
また、本発明に係るヘッドホン装置１は、頭部から外して持ち運ぶ場合や保管する場合に、第１及び第２の電気音響変換器支持アーム５，６と第１及び第２のヘッドバンド部材３，４を折り畳むことにより小型化することができる。
【００４１】
本発明に係るヘッドホン装置１を折り畳むには、図１２に示すように、第１及び第２の電気音響変換器支持アーム５，６を第２及び第３の枢支部２６，２７を中心にして図１中矢印Ｂ1方向に回動し、第１及び第２のヘッドバンド部材３，４側に近接させる。次いで、第１及び第２のヘッドバンド部材３，４を、一端側が互いに近接するように、第１及び第２の電気音響変換器支持アーム５，６の回動方向に直交する方向である第１の枢支部７を中心に図１３中矢印Ａ1方向に回動することにより、図１４及び図１５に示すように折り畳まれて小型化される。
【００４２】
このとき、第１及び第２の電気音響変換器支持アーム５，６の一端側に支持された第１及び第２の電気音響変換器１７，１８は、図１５に示すように、イヤーパッド２１が取り付けられた放音面側が突き合わせられるように一体化され、図１４に示すように、第１及び第２の電気音響変換器支持アーム５，６と第１及び第２のヘッドバンド部材３，４とによって囲まれた領域内に収納された状態となる。すなわち、第１及び第２の電気音響変換器１７，１８は、外周囲が第１及び第２の電気音響変換器支持アーム５，６と第１及び第２のヘッドバンド部材３，４により囲まれ、第１及び第２の電気音響変換器支持アーム５，６と第１及び第２のヘッドバンド部材３，４の外方に突出しない状態となされる。
【００４３】
第１及び第２の電気音響変換器１７，１８は、ヘッドホン装置１を折り畳んだとき、第１及び第２の電気音響変換器支持アーム５，６と第１及び第２のヘッドバンド部材３，４の外方に突出しない状態となるので、携帯時などに直接異物が衝突することが回避され保護が図られる。
【００４４】
なお、ヘッドホン装置１を折り畳んだとき、第１及び第２の電気音響変換器支持アーム５，６に設けた耳掛け部２４も、図１５に示すように、第１及び第２の電気音響変換器支持アーム５，６と第１及び第２のヘッドバンド部材３，４とによって囲まれた領域内に収納された状態となり、柔軟性を有する耳掛け部２４の保護が実現される。
【００４５】
上述したヘッドホン装置１にあっては、折り畳んだとき、第１及び第２の電気音響変換器支持アーム５，６と第１及び第２のヘッドバンド部材３，４とによって囲まれた領域が第１及び第２の電気音響変換器１７，１８を収納するに足る大きさになるように、第１及び第２の電気音響変換器支持アーム５，６、第１及び第２のヘッドバンド部材３，４を形成しているが、さらに、このヘッドホン装置１を折り畳んだとき、図１６に示すように、第１及び第２の電気音響変換器１７，１８の外周囲を第１及び第２の電気音響変換器支持アーム５，６、第１及び第２のヘッドバンド部材３，４の一部で覆うように、これら第１及び第２の電気音響変換器支持アーム５，６、第１及び第２のヘッドバンド部材３，４の幅を上述した例のものに比し幅広になるように形成してもよい。
【００４６】
図１６に示すように、第１及び第２の電気音響変換器支持アーム５，６、第１及び第２のヘッドバンド部材３，４の一部で、第１及び第２の電気音響変換器１７，１８の外周囲を覆うように形成することにより、電気音響変換器１７，１８の一層の保護を図ることができる。
【００４７】
【発明の効果】
上述したように、本発明に係るヘッドホン装置は、折り畳んだとき、電気音響変換器が、第１及び第２の電気音響変換器支持アームと第１及び第２のヘッドバンド部材によって囲まれた領域内に収納された状態となされるので、持ち運び時等に直接電気音響変換器に衝撃が加わることを回避することができるので、電気音響変換器の保護を図り、安全に携帯することができる。
【００４８】
また、装着感及の向上を図る耳掛け部は、折り畳まれたとき、電気音響変換器支持アーム及びヘッドバンド部材により囲まれた領域内に収納されるので、柔軟性を有する弾性体を用いて形成した場合であっても確実な保護が図られる。
【図面の簡単な説明】
【図１】本発明に係るヘッドホン装置の斜視図である。
【図２】上記ヘッドホン装置の平面図である。
【図３】第１及び第２のヘッドバンド部材を連結する第１の枢支部を示す分解斜視図である。
【図４】第１及び第２のヘッドバンド部材を連結した状態を示す斜視図である。
【図５】第１及び第２のヘッドバンド部材を連結する第１の枢支部を示す断面図である。
【図６】本発明に係るヘッドホン装置の側面図である。
【図７】第１のヘッドバンド部材と第１の電気音響変換器支持アームを連結する第２の枢支部を示す分解斜視図である。
【図８】上記第２の枢支部を介して連結された第１のヘッドバンド部材と第１の電気音響変換器支持アームを示す部分側面図である。
【図９】上記第２の枢支部を介して連結された第１のヘッドバンド部材と第１の電気音響変換器支持アームを示す部分底面図である。
【図１０】本発明に係るヘッドホン装置を頭部に装着する状態を示す斜視図である。
【図１１】第１の電気音響変換器が耳介に装着された状態を示す斜視図である。
【図１２】第１及び第２の電気音響変換器支持アームを折り畳む状態を示す斜視図である。
【図１３】第１及び第２の電気音響変換器支持アームを折り畳み、さらに第１及び第２のヘッドバンド部材を折り畳む状態を示す平面図である。
【図１４】第１及び第２の電気音響変換器支持アームを折り畳み、さらに第１及び第２のヘッドバンド部材を畳んだ状態を示す斜視図である。
【図１５】本発明に係るヘッドホン装置を折り畳んだ状態を示す平面図である。
【図１６】本発明に係るヘッドホン装置の他の例を示し、畳んだ状態を示す斜視図である。
【符号の説明】
１ヘッドホン装置、  ２  ヘッドバンド、  ３  第１のヘッドバンド部材、  ４  第２のヘッドバンド部材、  ５  第１の電気音響変換器支持アーム、  ６  第２の電気音響変換器支持アーム、  ７  第１の枢支部、  １７  第１の電気音響変換器、  １８  第２の電気音響変換器、  ２４  耳掛け部、  ２６  第２の枢支部、  ２７  第３の枢支部。
【図１】
0003968492.tif 000002
【図２】
0003968492.tif 000003
【図３】
0003968492.tif 000004
【図４】
0003968492.tif 000005
【図５】
0003968492.tif 000006
【図６】
0003968492.tif 000007
【図７】
0003968492.tif 000008
【図８】
0003968492.tif 000009
【図９】
0003968492.tif 000010
【図１０】
0003968492.tif 000011
【図１１】
0003968492.tif 000012
【図１２】
0003968492.tif 000013
【図１３】
0003968492.tif 000014
【図１４】
0003968492.tif 000015
【図１５】
0003968492.tif 000016
【図１６】
0003968492.tif 000017